(57)【要約】【課題】永久磁石とヒステリシス材との寸法を変えることなく、両者間により大きなトルクを発生させることが可能なトルクリミッタを提供する。【解決手段】トルクリミッタ１０は、円筒状外周部を有する第１回転体１１と、円筒状外周部に対向する円筒状内周部を有し、第１回転体と同軸状で互いに対して相対的に回転可能に設けられた第２回転体２０とからなり、第１回転体１１の円筒状外周部には永久磁石１３が、第２回転体２０の円筒状内周部にはヒステリシス材２３が設けられる。永久磁石１３とヒステリシス材２３との間には磁性粉２５が含まれている。【選択図】図１
2008240805.tif 000002
【特許請求の範囲】
【請求項１】
円筒状外周部を有する第１回転体と、前記円筒状外周部に対向する円筒状内周部を有し、前記第１回転体と同軸状で互いに対して相対的に回転可能に設けられた第２回転体とからなり、前記第１回転体の円筒状外周部および前記第２回転体の円筒状内周部のいずれか一方には永久磁石が、いずれか他方にはヒステリシス材が設けられるトルクリミッタであって、
前記第１回転体の外周部と前記第２回転体の内周部との間に摩擦力を発生させる摩擦力発生部材を封入した、トルクリミッタ。
【請求項２】
前記摩擦力発生部材は、磁性粉である、請求項１に記載のトルクリミッタ。
【請求項３】
前記永久磁石は、軸方向に隣接して設けられ、相互に異なる極性を有する部分に分割されている、請求項１または２に記載のトルクリミッタ。
【請求項４】
前記永久磁石は、円周方向に相互に異なる磁極が隣接するように分割されている、請求項１から３のいずれかに記載のトルクリミッタ。
【請求項５】
前記軸方向に隣接して設けられ、相互に異なる極性を有する部分は異なる複数の永久磁石を含む、請求項３に記載のトルクリミッタ。
【発明の詳細な説明】
【技術分野】
【０００１】
この発明は、例えば複写機やプリンター、ファクシミリ等の給紙分離装置や、ドアのダンパ等に用いられるトルクリミッタに関する。
【背景技術】
【０００２】
トルクリミッタは、相互に対向する永久磁石とヒステリシス材とから構成されている。従来のトルクリミッタにおいては、永久磁石とヒステリシス材とのギャップおよび対向面積は、トルクリミッタの組立時に決まってしまっていた。
【０００３】
このような問題点に対処して発生トルクを変更可能なトルクリミッタが、たとえば、特開２００６−０１７１４１号公報（特許文献１）に開示されている。同公報によれば、磁石とヒステリシス材との対向面積を変えることによって発生トルクを変更している。
【特許文献１】特開２００６−０１７１４１号公報（要約）
【発明の開示】
【発明が解決しようとする課題】
【０００４】
従来のトルクリミッタは上記のように構成されていた。通常のトルクリミッタでは、永久磁石とヒステリシス材との間のエアギャップにヒステリシストルクが発生し、一定のトルク値が得られていた。このように、永久磁石とヒステリシス材との寸法が同一であれば、発生トルクは一定であり同一寸法で、より大きなシストルクを得るには限度があった。
【０００５】
この発明は上記のような問題点に鑑みてなされたもので、永久磁石とヒステリシス材との寸法を変えることなく、両者間により大きなトルクを発生させることが可能なトルクリミッタを提供することを目的とする。
【課題を解決するための手段】
【０００６】
この発明に係る、トルクリミッタは、円筒状外周部を有する第１回転体と、円筒状外周部に対向する円筒状内周部を有し、第１回転体と同軸状で互いに対して相対的に回転可能に設けられた第２回転体とからなり、第１回転体の円筒状外周部および第２回転体の円筒状内周部のいずれか一方には永久磁石が、いずれか他方にはヒステリシス材が設けられる。トルクリミッタは、第１回転体の外周部と第２回転体の内周部との間に摩擦力を発生させる摩擦力発生部材を含む。
【０００７】
トルクリミッタは、永久磁石とヒステリシス材とから発生するヒステリシストルクだけでなく、両者間には摩擦力も発生するため、両者間により大きなトルクを発生させることが可能なトルクリミッタを提供できる。
【０００８】
好ましくは、摩擦力発生部材は、磁性粉である。
【０００９】
永久磁石は、軸方向に隣接して設けられ、相互に異なる極性を有する部分に分割されているのが好ましい。この分割された部分は複数の永久磁石で形成されてもよいし、１つの磁石をそのように着磁してもよい。
【００１０】
また、永久磁石は、円周方向に相互に異なる磁極が隣接するように分割されているのが好ましい。
【発明を実施するための最良の形態】
【００１１】
以下、この発明の実施の形態を、図面を参照して説明する。図１はこの発明の一実施の形態に係るトルクリミッタ１０を示す要部断面図である。図１を参照して、トルクリミッタ１０は、図示のない駆動用のシャフトに止めネジ（図示なし）を介して一体的に回転するようにされた、円筒状外周部を有する第１回転体１１と、第１回転体１１の円筒外周部に対向する円筒状内周部を有する第２回転体２０とを含む。
【００１２】
第１回転体１１は、合成樹脂円筒体１２と、合成樹脂円筒体１２の外周部に接着により設けられた円筒状の永久磁石１３とを含む。永久磁石１３は、第１回転体１１の軸方向に
第１永久磁石１３ａと第２永久磁石１３ｂとが設けられている。第１永久磁石１３ａと第２永久磁石１３ｂの磁力は等しく、軸方向の長さも等しいのが好ましい。
【００１３】
第２回転体２０は、キャップ２１とキャップ２１に対して溶着で固定されたケース２２とを含む。キャップ２１とケース２２とは、第１回転体１１と、軸摺動部１１ａ、１１ｂで摺動する。キャップ２１とケース２２の内周面には、円筒状の永久磁石１３の外周部に対向する円筒体であるヒステリシス材（半硬質磁石）２３が設けられている。ヒステリシス材２３の軸方向の長さは、第１永久磁石１３ａと第２永久磁石１３ｂとの長さの和に等しい。この実施の形態においては、永久磁石１３とヒステリシス材２３との間の隙間２４には、摩擦力発生部材として磁性粉２５を封入している。
【００１４】
したがって、この実施の形態に係るトルクリミッタ１０においては、永久磁石１３とヒステリシス材２３との間には、ヒステリシストルクに加えて、ヒステリシス材２３と磁性粉２５の間の摩擦力を利用することができる。したがって、同一寸法で高トルクを発生させることができる。
【００１５】
図２は、図１に示したトルクリミッタ１０の要部を示す拡大図であり、永久磁石１３の円周部の詳細を示す。図２を参照して、軸方向に２分割された第１永久磁石１３ａと第２永久磁石１３ｂとは、それぞれ円周方向に隣接するする部分が異なる磁極を有するように着磁されている。すなわち、たとえば、図中、右上がりの斜線で示した部分は、Ｎ極であり、左上がりの斜線で示した部分はＳ極である。
【００１６】
磁性粉２５は、図１および図２に示すように、磁極が軸方向に変化する位置に集中するので、磁性粉２５が外部に漏れるのを防止することが可能である。
【００１７】
なお、上記実施の形態においては、別体の永久磁石に対してそれぞれ周方向に着磁したものを軸方向にＮ極とＳ極が、互いに対向するように配置したが、同一の永久磁石に周方向および軸方向に着磁してもよい。
【００１８】
また、上記実施の形態においては、軸方向に分離された第１永久磁石１３ａと第２永久磁石１３ｂとは、それぞれ円周方向にも複数の磁極に着磁されている場合について説明したが、これに限らず、円周方向には異なる磁極に着磁されていなくてもよい。
【００１９】
また、上記実施の形態においては、永久磁石１３が軸方向に２分割されている場合について説明したが、これに限らず、軸方向に３分割、４分割等に分割されていてもよい。この場合も相互に軸方向に隣接している部分の極性は異なるものとする。
【００２０】
また、磁極が軸方向に変化する位置は用途に応じて任意に変更してもよい。この場合も、磁性粉２５は磁極が対向している位置に吸着されるので、特別な構造を用いなくても磁性粉２５が外部に漏れるのを防止できる。
【００２１】
また、上記実施の形態においては、永久磁石を第１回転体に取り付け、ヒステリシス材を第２回転体に取り付けた場合について説明したが、これを逆にしてもよい。
【００２２】
また、上記実施の形態においては、摩擦力発生部材として磁性粉を例に上げて説明したが、これ以外のものであっても、永久磁石またはヒステリシス材との間で摩擦力を生じるものであれば、任意のものが使用できる。
【００２３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００２４】
この発明に係るトルクリミッタは、発生するトルクを増大させることが可能であるため、トルクリミッタとして有利に使用される。
【図面の簡単な説明】
【００２５】
【図１】この発明の一実施の形態に係るトルクリミッタの断面図である。
【図２】図１に示したトルクリミッタの要部を示す図である。
【符号の説明】
【００２６】
１０  トルクリミッタ、１１  第１回転体、１２  合成樹脂円筒体、１３  永久磁石、２０  第２回転体、２１  キャップ、２２  ケース、２３  ヒステリシス材、２４  隙間、２５  磁性粉。
【図１】
2008240805.tif 000003
【図２】
2008240805.tif 000004